(57)【要約】　　　（修正有）【課題】高い断熱効果と、高い構造強度を有し、外壁材が垂れ下がるようなことのない壁構造を提供する。【解決手段】耐力壁面材２の外側にプラスチック発泡体からなる断熱材３を全面的に貼着し、釘打線に沿って該断熱材３を所定巾に切除することによって釘打ち溝を設けて壁パネル１を製造し、該壁パネル１を該釘打ち溝を介して壁駆体柱５１，５２に釘打ち固定し、該壁パネル１の釘打ち溝に該釘打ち溝の巾および深さと同じ巾および厚みを有し該断熱材３と同等の断熱性を有しかつ構造強度が大きい材料からなるスペーサー本体部４１と該スペーサー本体部４１の外側に取付けられた胴縁部４２とからなるスペーサー部材４を嵌め込み固定し、この状態で該スペーサー部材４の胴縁部４２が該壁パネル１の釘打ち溝から突出した状態となっており、その外側に外壁材８を取付け該スペーサー部材４の胴縁部４２に固定する。【選択図】　　図１６
2004052362.tif 000002
【特許請求の範囲】
【請求項１】
耐力壁面材の外側にプラスチック発泡体からなる断熱材を全面的に貼着し、釘打ち線に沿って該断熱材を所定巾に切除することによって釘打ち溝を設けて壁パネルを製造し、該壁パネルを該釘打ち溝を介して壁駆体柱に釘打ち固定し、該壁パネルの釘打ち溝に該釘打ち溝の巾および深さと同じ巾および厚みを有し該断熱材と同等の断熱性を有しかつ構造強度が大きい材料からなるスペーサー本体部と該スペーサー本体部外側に取付けられた胴縁部とからなるスペーサー部材を嵌め込み固定し、この状態で該スペーサー部材の胴縁部が該壁パネルの釘打ち溝から突出した状態となっており、その外側に外壁材を取付け該スペーサー部材の胴縁部に固定したことを特徴とする壁構造。
【請求項２】
該スペーサー部材の胴縁部の厚みは２０ｍｍ以内に設定される請求項１に記載の壁構造。
【請求項３】
該スペーサー部材の胴縁部の巾は該壁パネルの釘打ち溝の巾よりも５０ｍｍ以内大きく設定されている請求項１または２に記載の壁構造。
【発明の詳細な説明】
【０００１】
【発明が属する技術分野】
本発明は住宅断熱構造のうち、外張り断熱複合板を使用した壁構造に関するものである。
【０００２】
【従来の技術】
最近図１７に示すように壁駆体柱（５）　の外側に耐力壁面材（９１）を配置し、その外側に発泡プラスチックからなる断熱材（９２）を配置し、該断熱材（９２）の外側所定位置に胴縁（９３）を配置して釘（９４）で固定し、更にその外側に外壁材（８）　を配置して胴縁（９４）に固定した外張り断熱構造が提供されている。
【０００３】
【発明が解決しようとする課題】
上記外張り断熱構造にあっては、断熱材（８）　が連続して張設されているので断熱効果は良好であるが、外壁材（８）　は断熱材（９２）の外側に胴縁（９３）を介して取り付けられ、該断熱材（９２）は発泡プラスチックからなり構造強度が小さいので断熱材（９２）を厚くするとモーメントが大きくなり外壁材（８）　の重みで外壁材（８）　が垂れ下がってしまうと云う問題点があり、更に上記外張り断熱構造にあっては現場にて耐力壁面材（９１）と断熱材（９２）を固定すると云う手間がかかる。
【０００４】
【課題を解決するための手段】
本発明は上記課題を解決するための手段として、耐力壁面材（２）　の外側にプラスチック発泡体からなる断熱材（３）　を全面的に貼着し、釘打線ＮＬに沿って該断熱材（３）　を所定巾ｗ１，ｗ１　／２に切除することによって釘打ち溝（１Ａ，１Ｂ，１Ｃ）を設けて壁パネル（１）　を製造し、該壁パネル（１）　を該釘打ち溝（１Ａ，１Ｂ，１Ｃ）を介して壁駆体柱（５）　に釘打ち固定し、該壁パネル（１）　の釘打ち溝（１Ｂ，１Ｄ）　に該釘打ち溝（１Ｂ，１Ｄ）　の巾ｗ１　および深さｄと同じ巾ｗ２　および厚みｔ１　を有し該断熱材（３）　と同等の断熱性を有しかつ構造強度が大きい材料からなるスペーサー本体部（４１）と該スペーサー本体部（４１）外側に取付けられた胴縁部（４２）とからなるスペーサー部材（４）　を嵌め込み固定し、この状態で該スペーサー部材（４）　の胴縁部（４２）が該壁パネル（１）　の釘打ち溝（１Ｂ，１Ｄ）　から突出した状態となっており、その外側に外壁材（８）　を取付け該スペーサー部材（４）　の胴縁部（４２）に固定した壁構造を提供するものである。
該スペーサー部材（４）　の胴縁部（４２）の厚みは２０ｍｍ以内に設定されることが望ましく、該スペーサー部材（４）　の胴縁部（４２）の巾ｗ３　は該壁パネル（１）　の釘打ち溝（１Ｂ，１Ｄ）　の巾ｗ１　よりも５０ｍｍ以内大きく設定されていることが望ましい。
【０００５】
【作用・効果】
本発明の壁パネル（１）　においては、耐力壁面材（２）　の外側に貼着された断熱材（３）　に釘打ち溝（１Ａ，１Ｂ，１Ｃ）が設けられているから、耐力壁面材（２）　を該釘打ち溝（１Ａ，１Ｂ，１Ｃ）を介して直接壁駆体柱（５）　に釘打ち固定することができるので、強度の大きな耐力壁が構成される。
上記断熱材（３）　に設けた釘打ち溝（１Ｂ，１Ｄ）　にはスペーサー部材（４）　を嵌合し、該スペーサー部材（４）　の胴縁部（４２）に外壁材（８）　を固定するが、該スペーサー部材（４）　の本体（４１）は断熱材（３）　とほぼ同等な断熱性を有しかつ構造強度の大きな材料からなるので、縦横連続した断熱構造が形成され、断熱欠損部分が存在しないし、また外壁材（８）　は断熱材を介することなく該スペーサー部材（４）　を介して駆体柱（５）　に固定されるので外壁材（８）　の垂れ下がりは確実に阻止される。
【０００６】
更に該スペーサー部材（４）　の胴縁部（４２）が壁パネル（１）　の断熱材（３）　から（外面から）突出しているので、外壁材（８）　と壁パネル（１）　との間には隙間（２０ｍｍ以内）が形成され、該隙間による通気層が形成され、この通気層を外界に解放すれば（例えば壁下部から）、外界と該空気層とにおいて空気のやり取りが行われ、湿気が壁内に蓄積せず結露が防止される。
また耐力壁面材（２）　と断熱材（３）　を予め貼着しておくので工程が短縮でき、現場での耐力壁面材と断熱材の貼着という二重手間の排除ができる。
【０００７】
【発明の実施の形態】
１　壁パネルの製造
図１に示す壁パネル（１）　を製造するには、
（１）図２に示すように耐力壁面材（２）　の片面にプラスチック発泡体を材料とする断熱材（３）　を全面的に貼着する。耐力壁面材（２）　は合板、中比重繊維板、ハードボード、火山性ガラス質板、パーティクルボード、木質セメント板、サーモプライ等の釘打ち固定可能な材料である。該断熱材（３）　はポリスチレン発泡体、ポリエチレン発泡体、ポリプロピレン発泡体、フェノール樹脂発泡体、メラミン樹脂発泡体、ポリウレタン発泡体等からなる。また二種以上を積層してもよい。
【０００８】
（２）該耐力壁面材（２）　の片面に貼着した断熱材（３）　を図３に示す釘打線ＮＬに沿って図４に示すように所定巾ｗ１　，　ｗ１　／２に切除して釘打ち溝（１Ａ，１Ｂ，１Ｃ）を形成する。釘打線ＮＬとは該耐力壁面材（２）　を壁駆体柱（５）　に釘打ち固定する場合の釘打ち位置に沿った線である。
本実施例では上記釘打線ＮＬは壁パネル（１）　の上下端縁部（１Ａ）、左右側縁部（１Ｂ）、中央縦断部（１Ｃ）に設けられ、図１および図３に示すように上下端縁釘打ち溝（１Ａ）と中央縦断釘打ち溝（１Ｂ）の巾をｗ１　とすると、左右側円釘打ち溝（１Ｃ）の巾はｗ１　／２に設定する。ｗ１　は通常４０〜５０ｍｍとする。
【０００９】
２　壁の構築
（１）図５および図６に示すように上記壁パネル（１）　の耐力壁面材（２）　を内側にして釘打ち溝（１Ａ，１Ｂ，１Ｃ）の箇所で釘（７１）にて釘打ちすることにより、該壁パネル（１）　を壁駆体柱（５）　である土台（５４）、横架材（５３）、柱（５１）、間柱（５２）等に固定する。該壁パネル（１）　は複数枚壁駆体柱（５）　に縦横に配列固定されるが、壁パネル（１）　の左右側縁部の釘打ち溝（１Ｃ）は隣接する壁パネル（１）　の左右側縁部の釘打ち溝（１Ｃ）と合体して巾ｗ１　の縦断釘打ち溝（１Ｄ）となる。
【００１０】
（２）図７に示すように上記壁駆体柱（５）　に固定された壁パネル（１）　の縦断釘打ち溝（１Ｂ，１Ｄ）　にスペーサー部材（４）　を嵌め込み耐力壁面材（２）　を介して該スペーサー部材（４）　を壁駆体柱（５）　にビス（７２）等によって固定する。また図８に示すように該壁パネル（１）　の上下端縁釘打ち溝（１Ａ）にスペーサー部材（４Ａ）を嵌め込み耐力壁面材（２）　を介して該スペーサー部材（４Ａ）を壁駆体柱（５）　にビス（７２）等によって固定する。
【００１１】
図９〜図１１に示すように外壁下地が必要な釘打ち溝（１Ｂ，１Ｄ）　に嵌め込まれるスペーサー部材（４）　は該釘打ち溝（１Ｂ，１Ｄ）　の巾ｗ１　と深さｄに等しい巾ｗ２　（ｗ１　＝ｗ２　）と厚みｔ１　（ｄ＝ｔ１　）を有するスペーサー本体（４１）と、該スペーサー本体（４１）の外側に固着されている胴縁部（４２）とからなり、該スペーサー部材（４）　を該壁パネル（１）　の釘打ち溝（１Ｂ，１Ｄ）　に嵌め込んだ状態で、該スペーサー部材（４）　の胴縁部（４２）が該胴縁部（４２）の厚みｔ２　分だけ断熱材（３）　から突出した状態となる。
【００１２】
該スペーサー部材（４）　の材料としては、ポリスチレン、ポリ塩化ビニル、ＡＢＳ樹脂、ポリカーボネート、ポリエステル等の硬質プラスチック、あるいは該硬質プラスチックの低発泡体、硬質ウレタンフォーム、フェノール樹脂フォーム、あるいは図１２に示すスペーサー部材（４’）のようにスペーサー本体（４１）において上記硬質プラスチックまたは硬質プラスチック低発泡体（４１ａ）　等に合板、パーティクルボード、中密度繊維板等の木質材（４１ｂ）　を積層した積層板等が使用される。このような材料のスペーサー部材（４，４’）は壁パネル（１）　の断熱材（３）　と同等の断熱性を有する。
該胴縁部（４２）の厚みｔ２　は２０ｍｍ以内とし、巾ｗ３　は該壁パネル（１）　の釘打ち溝（１Ｂ，１Ｄ）　の巾ｗ１よりも５０ｍｍ以内で大きく設定する。
【００１３】
更に壁パネル（１）　の上下、即ち最下段の壁パネル（１）　の下端縁土台固定部分と上端縁横架材固定部分には桟木（６）　が介在され、そして該壁パネル（１）　の上下端縁釘打ち溝（１Ａ）には図１３に示すスペーサー部材（４Ａ）が嵌め込まれ釘またはビス（７２）によって固定される。このスペーサー部材（４Ａ）は壁パネル（１）　の断熱材（３）　と同材であり、該釘打ち溝（１Ａ）の巾ｗ１　と深さｄに等しい巾ｗ４　と厚みｔ３　（ｗ１　＝ｗ４，ｄ＝ｔ３　）とを有する。桟木（６）　は通常３０ｍｍ角の木材からなる。
【００１４】
上記材料によって構成されるスペーサー部材（４，４Ａ）は壁パネル（１）　の断熱材（３）　と同等の断熱性を有するから、壁パネル（１）　の断熱材（３）　の欠損部である釘打ち溝（１Ａ，１Ｂ，１Ｄ）内に充填することにより、この部分の断熱欠損を補完し、縦横連続した壁断面構造を形成することが出来る。
【００１５】
壁パネル（１）　の建込み順序は次の通りである。
図１４に示すように土台（５４）に桟木（６）　を取付け、その上面に一段目の壁パネル（１）　の下端縁を合わせることにより位置決めし、前記したように壁駆体柱（５）　に釘打ち固定し、それから図１５に示すように該壁パネル（１）　の釘打ち溝（１Ａ，１Ｂ，１Ｄ）にスペーサー部材（４，４Ａ）を嵌め込みビス（７２）等で固定する。
【００１６】
（３）上記壁駆体柱（５）　に複数枚の壁パネル（１）　を縦横に配列固定して建込んだ後、図１６に示すようにその外側に外壁材（８）　を取付ける。該外壁材（８）　はスペーサー部材（４）　に取付金具や釘（７３）またはビスによって固定される。
【００１７】
【発明の効果】
本発明では、高い断熱効果と、高い構造強度を有し、外壁材が垂れ下がるようなことのない壁構造を提供することができる。
【図面の簡単な説明】
図１〜図１６は本発明の一実施例を示すものである。
【図１】壁パネル平面図
【図２】積層板正面図
【図３】駆体柱釘打ち線説明正面図
【図４】壁パネル製造方法説明正面図
【図５】壁パネル取付け状態横断面図
【図６】壁パネル取付け状態正面図
【図７】スペーサー部材取付け方法説明横断面図
【図８】スペーサー部材方法説明縦断面図
【図９】胴縁部を有するスペーサー部材斜視図
【図１０】胴縁部を有するスペーサー部材側面図
【図１１】胴縁部を有するスペーサー部材正面図
【図１２】他の胴縁部を有するスペーサー部材斜視図
【図１３】他のスペーサー部材斜視図
【図１４】スペーサー部材取付け状態正面図
【図１５】スペーサー部材釘打ち固定状態横断面図
【図１６】壁構造横断面図
【図１７】従来例の壁構造横断面図
【符号の説明】
１　　　　　　　　　　　　壁パネル
１Ａ，１Ｂ，１Ｃ，１Ｄ　　　　釘打ち溝
３　　　　　　　　断熱材
４　　　　　　　　スペーサー部材
４１　　　　　　　　　　　　　スペーサー本体部
４２　　　　　　　　　　　　　胴縁部
５　　　　　　　　　　　　　　壁駆体柱
８　　　　　　　　外壁材
ｄ　　　　　　　　　　　　　　深さ
ｔ１　　　　　　　厚み
ｗ１，ｗ２，ｗ３　　　　　巾
【図１】
2004052362.tif 000003
【図２】
2004052362.tif 000004
【図３】
2004052362.tif 000005
【図４】
2004052362.tif 000006
【図５】
2004052362.tif 000007
【図６】
2004052362.tif 000008
【図７】
2004052362.tif 000009
【図８】
2004052362.tif 000010
【図９】
2004052362.tif 000011
【図１０】
2004052362.tif 000012
【図１１】
2004052362.tif 000013
【図１２】
2004052362.tif 000014
【図１３】
2004052362.tif 000015
【図１４】
2004052362.tif 000016
【図１５】
2004052362.tif 000017
【図１６】
2004052362.tif 000018
【図１７】
2004052362.tif 000019